【事件の表示】
　特願２０１１−２７９５２３「遊技機」拒絶査定不服審判事件〔平成２４年　３月２２日出願公開、特開２０１２−　５５７５７〕について、次のとおり審決する。
【結　論】
　本件審判の請求は、成り立たない。
【理　由】
第１　手続の経緯  
　本願は、平成２０年１月１５日に出願した特願２００８−５３８４号の一部を平成２３年１２月２１日に新たな特許出願としたものであって、平成２５年２月２６日付けで拒絶の理由が通知され、平成２５年５月１日に意見書及び手続補正書が提出されたところ、平成２５年９月２６日付けで拒絶査定がなされ、それに対して、平成２５年１２月２６日に拒絶査定不服審判の請求がなされると同時に明細書及び特許請求の範囲に係る手続補正がなされたものである。  
　
第２　平成２５年１２月２６日付けの手続補正についての補正却下の決定  
［補正却下の決定の結論］  
　平成２５年１２月２６日付けの手続補正（以下「本件補正」という。）を却下する。 　
 ［理由］  
１ 補正の内容
　本件補正により、特許請求の範囲の請求項１は、次のように補正された。
（１）本件補正前
「【請求項１】
　ワンチップマイコン及びその他の電子部品を制御基板に実装し、当該制御基板を基板ボックス内に収納した制御装置を備える遊技機において、
　前記ワンチップマイコンは、当該ワンチップマイコンの長手方向に対する垂直な断面が幅方向よりも高さ方向が長くなる縦長な形状となるように、前記制御基板の実装面に配置され、
　前記基板ボックスは、
　遊技機に取り付けられる取付ベースと、
　前記取付ベースに取り付けられ、当該取付ベースとの間に前記制御基板を収納する収納空間を画成する蓋部材と、
　前記取付ベースと前記蓋部材とを閉じた状態で封止する封止機構と、
を備え、
　前記制御基板は、前記ワンチップマイコンが前記蓋部材に対向するように前記収納空間内に収納され、
　前記蓋部材に対して前記制御基板を組み付けた後、前記蓋部材を前記取付ベースに対してスライドさせることによって互いに離れる方向への移動が規制されるようにし、
　前記蓋部材は、前記ワンチップマイコンの周囲を囲繞する囲繞部材と前記制御基板に備わったコネクタを外部へ露出するために各コネクタに対応した開口部が配設され、
　前記囲繞部材は、前記蓋部材の内面から立設する周壁によって形成され、該周壁における前記制御基板の実装面に平行な断面は長方形状をなしており、
　前記周壁は、前記蓋部材の内面から前記制御基板の実装面までの高さが、前記周壁の長方形状断面の短辺よりも長く、長辺よりも短くなるように構成していることを特徴とする遊技機。」
　
（２）本件補正後
「【請求項１】
　ワンチップマイコン及びその他の電子部品を制御基板に実装し、当該制御基板を
長方形状輪郭の
　前記ワンチップマイコンは、当該ワンチップマイコンの長手方向に対する垂直な断面が幅方向よりも高さ方向が長くなる縦長な形状となるように、前記制御基板の実装面に配置され、
　前記基板ボックスは、
　遊技機に取り付けられる取付ベースと、
　前記取付ベースに取り付けられ、当該取付ベースとの間に前記制御基板を収納する収納空間を画成する蓋部材と、
　前記取付ベースと前記蓋部材とを閉じた状態で封止する封止機構と、
を備え、
　前記制御基板は、前記ワンチップマイコンが前記蓋部材に対向するように前記収納空間内に収納され、
　前記蓋部材に対して前記制御基板を組み付けた後、前記蓋部材を前記取付ベースに対してスライドさせることによって互いに離れる方向への移動が規制されるようにし、
　前記蓋部材は、前記ワンチップマイコンの周囲を囲繞する囲繞部材と前記制御基板に備わったコネクタを外部へ露出するために各コネクタに対応した開口部が配設され、
当該開口部は、前記蓋部材の両側の長辺部に形成され前記制御基板側に一段凹んだ部分にそれぞれ設けられ、
　前記周壁は、前記蓋部材の内面から前記制御基板の実装面までの高さが、前記周壁の長方形状断面の短辺よりも長く、長辺よりも短くなるように構成していることを特徴とする遊技機。」
に補正された（下線は、補正箇所を明示するために審決にて付した。）。
　
　上記補正は、補正前の請求項１に記載した発明を特定するために必要な事項である「基板ボックス」に関して、「長方形状輪郭」である点、「開口部」に関して、「部材の両側の長辺部に形成され前記制御基板側に一段凹んだ部分にそれぞれ設けられ」る点を限定したものであって、特許法第１７条の２第５項第２号の特許請求の範囲の減縮を目的とするものに該当する。
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
  
２ 独立特許要件について
（１）刊行物１に記載された発明
　原査定の拒絶の理由に引用された特開２０００−２４２６８号公報（以下「刊行物１」という。）には、図面とともに以下の事項が記載されている（下線は審決で付した。以下同じ。）。  
（１−ａ）「【０００２】
【従来の技術】パチンコ機等の遊技機は、遊技の健全性を維持するとともに、遊技の興趣を高めるために、マイクロコンピューター構成の遊技制御装置により制御されている。この遊技制御装置は、遊技制御プログラムを格納したＲＯＭ、遊技制御プログラムに基づく制御を行うＣＰＵ、このＣＰＵの制御実行時に必要な情報を一時的に記憶するＲＡＭ等の電子部品を制御基板上に別個に、あるいは一体化したワンチップマイコンとして実装し、この制御基板を箱状の制御基板収納部材内に収納したものである。そして、遊技制御プログラムを格納したＲＯＭやワンチップマイコンが不正に交換されることを防止するために、制御基板収納部材は、一旦閉じると、破壊しない限り開かないようにワンウエイネジを用いた封止部材や封印シールにより封止してある。
【０００３】
【発明が解決しようとする課題】ところが、上記した従来の遊技機においても、遊技制御装置のセキュリティーの面で問題点があった。すなわち、封止部材や封印シールを破壊することなく制御基板収納部材の合わせ目部分をドライバー等の道具を使用して強引に拡大し、この隙間から正規のＲＯＭやワンチップマイコンを取り外し、その代わりに不正な遊技制御プログラムを格納した不正部品と交換される虞れがあった。この様な不正改造が行われると、遊技の健全性を維持することができない。
【０００４】本発明は、前記した問題点を解消するためになされたもので、制御基板収納部材内に収納した制御基板上に実装したＲＯＭ等の記憶媒体が不正に交換されることを確実に防止できる遊技機を提供することを目的とする。」
 　 
（１−ｂ）「【００１６】
パチンコ機１は
制御装置２（役物制御ユニット）などの制御ユニットを取り付ける
【００１７】役物用の制御装置２（以下、制御装置２という。）は、遊技盤に配設されている電気式役物を電気的に制御するもので、図２に示すように、役物制御（遊技制御）を行う制御回路が形成された制御基板１０が、制御基板収納部材１１内に収納された構成となっている。
【００１８】具体的に説明すると、本実施形態では、遊技制御を行うための遊技制御プログラムを格納したＲＯＭ（読み出し専用メモリ）、遊技制御プログラムに基づく制御を行うＣＰＵ（中央演算処理装置）、ＣＰＵの制御実行時に必要な情報を適宜記憶するＲＡＭ（読み書き可能メモリ）などを一体化してワンチップマイコン１２を構成し、この
ワンチップマイコン１２を制御基板１０上にソケット１３を介して実装し、また、この制御基板１０上には他の電子部品１４を実装するとともにコネクタ１５を取り付ける。そして、このコネクタ１５だけが外部に露出した状態で制御基板１０を制御基板収納部材１１内に収納する。
【００１９】
制御基板収納部材１１は、透明な合成樹脂などのクリア部材よりなる第１ケース部材１１ａと第２ケース部材１１ｂとを合体させた箱状体であり
【００２０】
第１ケース部材１１ａは上蓋部材となる部分であり、一方、第２ケース部材１１ｂは
底部材となる部分であり
第１ケース部材１１ａと第２ケース部材１１ｂとの接合部分には、
封止部１７として
封印できるように構成してある。
封止部１７は
一旦閉状態に止着して封止したならば、
【００２１】また、図２に示す制御基板収納部材１１は、記憶媒体として機能するワンチップマイコン１２を実装してある側の制御基板１０に対向する内面部分、即ち
第１ケース部材１１ａの内面にワンチップマイコン１２を囲繞可能な状態で囲繞部材２０を突設し、
ワンチップマイコン１２の周囲を取り囲むように構成してある
【００２２】この
囲繞部材２０は
断面形状が長方形の壁状、あるいは断面四角形の角筒体であり、第１ケース部材１１ａ側は閉塞されているが、先端部分は長方形に開口している。
【００２３】この様な構成からなる囲繞部材２０を有する第１ケース部材１１ａを閉じると、図３及び図４に示すように、制御基板１０上のワンチップマイコン１２がソケット１３と共に囲繞部材２０により四周を取り囲まれる。そして、万一、不正行為者がドライバー、千枚通し、へら等の道具を第１ケース部材１１ａと第２ケース部材１１ｂとの合わせ目から制御基板収納部材１１の内部に差し込んだとしても、道具の先端が囲繞部材２０に進行を阻止されてしまい、ワンチップマイコン１２まで到達することはない。このため、ワンチップマイコン１２をソケット１３から上昇させることができないし、極く薄い板状の道具を囲繞部材２０の先端と制御基板１０の表面との間の僅かな隙間に差し込んだとしても、この道具を操作してワンチップマイコン１２をソケット１３から抜くことは殆ど不可能であるし、たとえ抜いたとしてもこのワンチップマイコン１２を囲繞部材２０内から取り出すことはできない。また、囲繞部材２０の先端と制御基板１０の表面との隙間はワンチップマイコン１２が通過できない極く僅かな寸法（ワンチップマイコンの厚みよりも狭い寸法）でしかないので、不正に改造したワンチップマイコン１２を制御基板収納部材１１の外部から囲繞部材２０の内部に入れてソケット１３に装着することはできない。したがって、本実施形態によれば、制御基板収納部材１１の外部から囲繞部材２０で囲まれたワンチップマイコン１２を不正に交換する不正行為を確実に防止することができる。」
 　 
（１−ｃ）図２から、制御基板収納部材１１は長方形状輪郭であることが把握できる。
　
（１−ｄ）図３から、上蓋部材を構成する第１ケース部材１１ａは、制御基板１０を収納する収納空間を画成しており、制御基板１０に配置されたワンチップマイコン１２は上蓋部材に対向していることが把握できる。
 　 
（１−ｅ）図２〜図４から、囲繞部材２０の角筒体は、制御基板１０の実装面に平行な断面が長方形状をなしていることが把握できる。また、囲繞部材２０は、上蓋部材の内面から制御基板１０の実装面までの高さが、囲繞部材２０の長片よりも短くなるように構成していることが把握できる。
　
　上記の事項を総合すると、刊行物１には、次の発明が記載されていると認められる（以下「刊行物１発明」という。）。  
「ワンチップマイコン１２及び他の電子部品１４を制御基板１０上に実装し、当該制御基板１０を長方形状輪郭の制御基板収納部材１１内に収納した制御装置２を備える遊技機において、
　前記ワンチップマイコン１２は、前記制御基板１０の実装面に配置され、
　前記制御基板収納部材１１は、
　底部材と、
　前記底部材に取り付けられ、当該底部材との間に前記制御基板１０を収納する収納空間を画成する上蓋部材と、
　前記底部材と前記上蓋部材とを閉状態に止着して封止する封止部１７と、
を備え、
　前記制御基板１０は、前記ワンチップマイコン１２が前記上蓋部材に対向するように前記収納空間内に収納され、
　前記上蓋部材は、前記ワンチップマイコン１２の周囲を取り囲むように構成した囲繞部材２０が配設され、前記制御基板１０に取り付けたコネクタを外部へ露出した状態とし、
　前記囲繞部材２０は、前記蓋部材の内面に突設する断面形状が長方形の壁状、あるいは断面四角形状の角筒体であり、該角筒体における制御基板１０の実装面に平行な断面は長方形状をなしており、
　囲繞部材２０は、上蓋部材の内面から制御基板１０の実装面までの高さが、囲繞部材２０の長片よりも短くなるように構成している遊技機。」
　
（２）刊行物２に記載された事項
　前置報告書に引用された特開２００７−２６７７７２号公報（以下「刊行物２」という。）には、図面とともに次の事項が記載されている。  
 　 
（２−ａ）「【００３３】
　図３は本発明における遊技機１が備える遊技制御装置１４の斜視図、図４は後述するコネクタカバーを外した状態の斜視図、図５は分解斜視図、を各々示す。遊技制御装置１４は、例えば、図５に示すように、遊技機１の動作に関わる電気的制御を実行するための電子部品（図示省略）と取付コネクタ２４を実装したほゞ四角形状の制御基板２０を、ベース部材３０と収納部材４０よりなる制御基板ボックス５０に収納したものである。
【００３４】
　制御基板ボックス５０は、ほゞ板状のベース部材３０と、該ベース部材３０によって塞がれるほゞ四角形状の開口を一面に有し、該開口より制御基板２０を収納する収納部４０ａを形成した収納部材４０と、これらベース部材３０と収納部材４０とを固着する第１固着手段５３とから構成する。また、５１は、制御基板ボックス開封履歴シールで、第１固着手段５３を開封した履歴を記入し、例えば、開封日、開封者、認印等を記入する。５２は、コネクタカバー開封履歴シールで、後述するコネクタカバーを開封した履歴を記入する。
【００３５】
　本実施例で示すベース部材３０および収納部材４０は、透光性の合成樹脂からなるものとし、内部に収容された制御基板２０を外から視認できる。また、制御基板ボックス５０は、平板なベース部材３０を下にして置かれる状態が常態となるので、内部に収納された制御基板２０を基準にした場合、収納部材４０は上部に、ベース部材３０は下部に位置するものとなる。
【００３６】
　収納部材４０は、収納部４０ａの奥側から開口縁に向って起立する４つの収納側壁４１を備え、これら収納側壁４１の内側面に沿って制御基板２０が収納されることとなる。一方、ベース部材３０は、ベース部３０ａの周囲に高さの低い周壁部３１が起立している。また、ベース部３０ａには、リブ３０ｂが適宜設けてある。
【００３７】
　また、
収納部材４０には
制御基板２０のコネクタ実装面２１と対向する上面４２の一部を開口側に向けて膨出させて３つの段部或いは開口部、即ち第１接続部４３、第２接続部４４、第３接続部４５を形成している
第１〜第３接続部４３〜４５は、収納部材４０の正面側（収納部４０ａが開口していない側）から見ると、凹部になる
 　 
（２−ｂ）図５、７から、開口部が、収納部材の両側の長片部に形成され、制御基板２０側に一段凹んだ部分にそれぞれ設けられていることが把握できる。
　
　上記の事項を総合すると、刊行物２には、「制御基板２０を、ベース部材３０と収納部材４０とからなる制御基板ボックス５０に収納し、収納部材４０には、コネクタ実装面と対向する開口部が、収納部材の両側の長片部に形成され、制御基板２０側に一段凹んだ部分にそれぞれ設けられている遊技機」という事項が記載されていると認められる。 
　
（３）対比
　本願補正発明と刊行物１発明とを対比する。
　
ア　刊行物１発明における「ワンチップマイコン１２」は、本願補正発明における「ワンチップマイコン」に相当し、以下同様に、「電子部品１４」は、「電子部品」に、「制御基板１０」は、「制御基板」に、「制御基板収納部材１１」は、「基板ボックス」に、「底部材」は、「取付ベース」に、「上蓋部材」は、「蓋部材」に、それぞれ、相当する。
　
イ　刊行物１発明における「ワンチップマイコン１２及び他の電子部品１４を制御基板１０上に実装し、当該制御基板１０を長方形状輪郭の制御基板収納部材１１内に収納した制御装置２を備える遊技機において」は、本願補正発明における「ワンチップマイコン及びその他の電子部品を制御基板に実装し、当該制御基板を長方形状輪郭の基板ボックス内に収納した制御装置を備える遊技機において」に相当する。
  
ウ　刊行物１発明における「ワンチップマイコン１２は、制御基板１０の実装面に配置され」る構成と、本願補正発明における「ワンチップマイコンは、当該ワンチップマイコンの長手方向に対する垂直な断面が幅方向よりも高さ方向が長くなる縦長な形状となるように、制御基板の実装面に配置され」る構成とは、「ワンチップマイコンは、制御基板の実装面に配置され」る構成で共通する。
　
エ　刊行物１発明の制御装置２はパチンコ機（遊技機）に取り付けられるものであり（段落【００１６】参照）、取り付ける際に制御基板収納部材１１の「底部材」を遊技機に取り付けることは自明な事項であるから、刊行物１発明における「底部材」は、本願補正発明における「遊技機に取り付けられる取付ベース」に相当する。
　
オ  刊行物１発明における「底部材と上蓋部材とを閉状態に止着して封止する封止部１７」は、本願補正発明における「取付ベースと前記蓋部材とを閉じた状態で封止する封止機構」に相当する。
　
カ　刊行物１発明の「ワンチップマイコン１２の周囲を取り囲むように構成した囲繞部材２０」は、本願補正発明の「ワンチップマイコンの周囲を囲繞する囲繞部材」に相当し、刊行物１発明における「上蓋部材は、ワンチップマイコン１２の周囲を取り囲むように構成した囲繞部材２０が配設され、制御基板１０に取り付けたコネクタを外部へ露出した状態」とする構成と、本願補正発明における「蓋部材は、前記ワンチップマイコンの周囲を囲繞する囲繞部材と前記制御基板に備わったコネクタを外部へ露出するために各コネクタに対応した開口部が配設され」る構成とは、「蓋部材は、前記ワンチップマイコンの周囲を囲繞する囲繞部材と前記制御基板に備わったコネクタを外部へ露出するための部材が配設され」る構成で共通する。
　
キ　刊行物１発明における「囲繞部材２０は、前記蓋部材の内面に突設する断面形状が長方形の壁状、あるいは断面四角形状の角筒体であり、該角筒体における制御基板１０の実装面に平行な断面は長方形状をなして」いる構成は、本願補正発明における「囲繞部材は、蓋部材の内面から立設する周壁によって形成され、該周壁における制御基板の実装面に平行な断面は長方形状をなして」いる構成に相当する。
　
ク　刊行物１発明の「囲繞部材２０の角筒体は、上蓋部材の内面から制御基板１０の実装面までの高さが、角筒体の長片よりも短くなるように構成している」点と、本願補正発明の「周壁は、蓋部材の内面から制御基板の実装面までの高さが、周壁の長方形状断面の短辺よりも長く、長辺よりも短くなるように構成している」点とは、「周壁は、蓋部材の内面から制御基板の実装面までの高さが、周壁の長方形状断面の長辺よりも短くなるように構成している」点で共通する。
　
　したがって、本願補正発明と刊行物１発明とは、
「ワンチップマイコン及びその他の電子部品を制御基板に実装し、当該制御基板を基板ボックス内に収納した制御装置を備える遊技機において、
　前記ワンチップマイコンは、前記制御基板の実装面に配置され、
　前記基板ボックスは、
　遊技機に取り付けられる取付ベースと、
　前記取付ベースに取り付けられ、当該取付ベースとの間に前記制御基板を収納する収納空間を画成する蓋部材と、
　前記取付ベースと前記蓋部材とを閉じた状態で封止する封止機構と、
を備え、
　前記制御基板は、前記ワンチップマイコンが前記蓋部材に対向するように前記収納空間内に収納され、
　前記蓋部材は、前記ワンチップマイコンの周囲を囲繞する囲繞部材と前記制御基板に備わったコネクタを外部へ露出するための部材が配設され、
　前記囲繞部材は、前記蓋部材の内面から立設する周壁によって形成され、該周壁における前記制御基板の実装面に平行な断面は長方形状をなしており、
　前記周壁は、前記蓋部材の内面から前記制御基板の実装面までの高さが、前記周壁の長方形状断面の長辺よりも短くなるように構成している遊技機。」
である点で一致し、以下の点で相違する。
　
［相違点１］
　ワンチップマイコンの制御基板の実装面への配置に関して、本願補正発明は、「ワンチップマイコンの長手方向に対する垂直な断面が幅方向よりも高さ方向が長くなる縦長な形状となるように」配置されるのに対し、刊行物１発明は、そのような特定がない点。
　
［相違点２］
　本願補正発明は、「蓋部材に対して前記制御基板を組み付けた後、前記蓋部材を前記取付ベースに対してスライドさせることによって互いに離れる方向への移動が規制されるようにし」ているのに対し、刊行物１発明は、制御基板１０を制御基板収納部材１１内に収納し、底部材と上蓋部材とを閉状態に止着して封止するものの、そのような構成は明示されていない点。
　
［相違点３］
　蓋部材に配設されるコネクタを外部へ露出するための部材に関して、本願補正発明は、「各コネクタに対応した開口部」であるのに対し、刊行物１発明は、その構成が不明である点。
　
［相違点４］
　本願補正発明は、「開口部は、蓋部材の両側の長辺部に形成され制御基板側に一段凹んだ部分にそれぞれ設けられ」ているのに対して、刊行物１発明は、そのような構成を有していない点。
　
［相違点５］
　ワンチップマイコンの周囲を囲繞する囲繞部材を形成する周壁における蓋部材の内面から制御基板の実装面までの高さに関して、本願補正発明は、「周壁の長方形状断面の短辺よりも長くなる」のに対して、刊行物１発明は、短辺よりも長いかどうか不明である点。
　
（４）判断
　上記相違点について検討する。
ア　［相違点１］、［相違点５］について
　遊技機の技術分野において、ワンチップマイコンの長手方向に対する垂直な断面が幅方向よりも高さ方向が長くなる縦長な形状となるように制御基板の実装面へ配置することは、本願出願前において周知の技術である（例えば、特開２００６−６８２５２号公報の図１、特開２００１−３１４６２２号公報の図１２、１３参照。）。
　そして、刊行物１発明に周知の技術のワンチップマイコンを適用するにあたり、囲繞部材を形成する周壁における蓋部材の内面から制御基板の実装面までの高さを、ワンチップマイコンの形状に合わせて周壁の長方形状断面の短辺よりも長くなるように設定することは、当業者が適宜なし得る設計的事項である。
　よって、刊行物１発明に周知の技術を適用し、上記相違点１及び５に係る本願補正発明の構成とすることは、当業者が容易になし得たことである。
　
イ　［相違点２］について
　遊技機の技術分野において、制御基板を収容した蓋部材と底部材とをその一方に設けたガイド部を用いてスライドさせて封止部材により着脱不能に封止することは、本願出願前において周知の技術である（例えば、特開２００６−８７５９３号公報の段落【００２７】、特開２００７−４４５５１号公報の段落【０２０９】〜【０２１２】参照。）。
　そして、上記周知の技術におけるガイド部は蓋部材と底部材とが互いに離れる方向への移動を規制するものであるといえる。
　よって、刊行物１発明に周知の技術を適用し、上記相違点２に係る本願補正発明の構成とすることは、当業者が容易になし得たことである。
　
ウ　［相違点３］について
　遊技機の技術分野において、制御基板を収容する蓋部材にコネクタを外部に露出する開口部を設けることは、本願出願前において周知の技術である（例えば、特開２００６−８７５９３号公報の段落【００２７】、【００２８】、図２）、特開２００６−２６３００８号公報の段落【０００９】、図１参照。）。
　よって、刊行物１発明に周知の技術を適用し、上記相違点３に係る本願補正発明の構成とすることは、当業者が容易になし得たことである。
　
エ　［相違点４］について
　刊行物２には、「制御基板２０を、ベース部材３０と収納部材４０とからなる制御基板ボックス５０に収納し、収納部材４０には、コネクタ実装面と対向する開口部が、収納部材の両側の長片部に形成され、制御基板２０側に一段凹んだ部分にそれぞれ設けられている遊技機」という事項が記載されている（上記２（２）参照。）。
　刊行物１発明と刊行物２に記載された事項とは、制御基板を収納する制御基板収納部材を備えた遊技機である点で共通するから、刊行物１発明に刊行物２に記載された事項を適用し、上記相違点４に係る本願補正発明の構成とすることは、当業者が容易になし得たことである。
　
オ　本願補正発明が奏する効果について
　上記相違点１ないし５によって本願補正発明が奏する効果は、当業者が刊行物１発明、刊行物２に記載された事項、周知の技術から予測し得る程度のものであって、格別のものではない。　
　
カ　まとめ
　以上のように、本願補正発明は、当業者が刊行物１発明、刊行物２に記載された事項、周知の技術に基づいて、当業者が容易に発明をすることができたものであるから、特許法第２９条第２項の規定により、特許出願の際独立して特許を受けることができない。
　
３ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について  
１　本願発明  
　本件補正は上記のとおり却下されたので、本願の各請求項に係る発明は、平成２５年５月１日付け手続補正書により補正された特許請求の範囲に記載されたとおりのものであり、特に、請求項１に係る発明（以下「本願発明」という。）は、「第２　１（１）」に記載したとおりである。
  
２　刊行物  
　刊行物１及びその記載事項並びに刊行物１発明は、上記「第２　２（１）」に記載したとおりである。  
  
３　対比・判断  
　本願発明は、上記「第２」で検討した本願補正発明から「長方形状輪郭」及び「部材の両側の長辺部に形成され前記制御基板側に一段凹んだ部分にそれぞれ設けられ」という限定を省いたものである。  
　そうすると、本願発明と刊行物１発明とを対比したときに相違点は、上記「第２　２（３）」で述べた相違点１〜３、５と同様のものになるから、上記「第２　２（４）」において検討したとおり、本願発明は、刊行物１発明、周知の技術に基づいて当業者が容易に発明をすることができたものである。
　
４　むすび  
　以上のとおりであるから、本願発明は、特許法第２９条第２項の規定により特許を受けることができない。  
　したがって、その余の請求項について検討するまでもなく、本願は、拒絶されるべきものである。  
　よって、結論のとおり審決する。